(57)【要約】【課題】  積層された製品の剥離性確保のために設ける製品に形成するストッパが乾燥工程でパレットに当接しても変形しないように強度を高める。【解決手段】  複数個の果実収容凹部５１を配設して成るパルプモールドトレイ５０。３又は４個の果実収容凹部５１で囲まれる凹部間台部５２の台面５２０から台面上壁体５３を立設するとともに、２個の果実収容凹部５１の境界部５４の上面から境界上壁体５５を立設し、隣接する位置関係にある台面上壁体５３と境界上壁体５５を相互に連続させて強度を高めたことを特徴とする。【選択図】      図３
2008285188.tif 000002
【特許請求の範囲】
【請求項１】
複数個の果実収容凹部を配設して成るパルプモールドトレイであって、
３又は４個の果実収容凹部で囲まれる凹部間台部の中の任意の１又は２以上の凹部間台部の台面から台面上壁体を立設するとともに、２個の果実収容凹部の境界部の中の任意の１又は２以上の境界部の上面から境界上壁体を立設し、
前記台面上壁体と前記境界上壁体であってそれらが立設された凹部間台部と境界部とが連続状態にある台面上壁体と境界上壁体を連続させて成る、
ことを特徴とするパルプモールドトレイ。
【請求項２】
複数個の果実収容凹部を所定の方向に連続的又は離隔的に配列して複数列となるように配設して成るパルプモールドトレイであって、
３又は４個の果実収容凹部で囲まれる凹部間台部であって前記複数列の中の任意の１又は２以上の列に沿う凹部間台部の台面から台面上壁体を立設するとともに、２個の果実収容凹部の境界部であって前記台面上壁体を立設した凹部間台部に連続し且つ当該凹部間台部が沿う列に沿う境界部の上面から境界上壁体を立設し、
前記台面上壁体と前記境界上壁体であってそれらが立設された凹部間台部と境界部とが連続状態にある台面上壁体と境界上壁体を連続させて成る、
ことを特徴とするパルプモールドトレイ。
【請求項３】
請求項１又は請求項２に於いて、
前記凹部間台部の台面が小面積である、
ことを特徴とするパルプモールドトレイ。
【請求項４】
請求項１〜請求項３の何れかに於いて、
前記境界部の上面を両端の凹部間台部の台面から下がるように形成し、前記境界上壁体の高さをそれが立設された上面とともに下がるように形成して成る、
ことを特徴とするパルプモールドトレイ。
【請求項５】
請求項１〜請求項４の何れかに於いて、
前記境界上壁体の立設高さを前記台面上壁体の立設高さより低く形成して成る、
ことを特徴とするパルプモールドトレイ。
【発明の詳細な説明】
【技術分野】
【０００１】
本発明は、梨，桃，トマト，リンゴ，メロン，等の果実類を収容する果実収容凹部を備えたパルプモールドトレイ（抄製紙板製のトレイ）に関する。本発明のパルプモールドトレイは、例えば、パルプ溶液に成形型（果実収容凹部に対応する凸部を型面に有し、型面上に金網を設けた成形型）を浸して金網の裏面側から吸引した後、パルプ溶液から取り出し、金網面に付着している未乾燥品を金網面から外して、果実収容凹部の開口部側を下にして台上に載置して乾燥させることにより得られる。
【背景技術】
【０００２】
トレイの内部に収容対象の果実類（梨／桃／トマト／リンゴ／メロン等）に適合するサイズ・形状の複数個の果実収容凹部が配設されたパルプモールドトレイ（抄製紙板製のトレイ）は周知である。
また、パルプ溶液に成形型（果実収容凹部に対応する凸部を型面に有し、型面上に金網を設けた成形型）を浸して金網の裏面側から吸引した後、パルプ溶液から取り出し、金網面に付着している未乾燥品を金網面から外して、果実収容凹部の開口部側を下にして台上に載置して乾燥させてパルプモールドトレイを得る製造方法も周知である。
【０００３】
特開２００５−０６７６９６号公報（特許文献１）には、果実類を収容する凹陥部（本願発明の果実収容凹部に相当する部位）の形状を、該凹陥部の側壁部の縦断面形状が直線状を成し、該凹陥部の全体形状が略逆円錐台形状を成すように形成することで、該凹陥部内にて果実類が係止される部分の面積を広げるとともに、従来の果実類包装容器に存在していた肩部（開口縁の９０°近い屈曲部）の存在を解消し、これにより、果実類の損傷を防止するようにした果実類包装用のパルプモールドトレイが記載されている。
【特許文献１】特開２００５−０６７６９６号公報。
【発明の開示】
【発明が解決しようとする課題】
【０００４】
パルプモールドトレイは、図１に例示するように、槽９０内のパルプ溶液９１に成形型１１を浸して成形型面（金網面）の裏面側から吸引して全域にパルプ繊維を１〜５ｍｍ程度の厚さに付着させた後、成形型１１をパルプ溶液９１から引き上げ（矢印ａ）、成形型面の全域に付着・形成されている未乾燥品を成形型面に対向させた受型２１で受け（矢印ｂ）、更に受型２１からパレット３１上へ移載して乾燥機４０へ送り込み（矢印ｃ）、乾燥機４０内にて加熱・乾燥することにより得られる。１０は回転式金型支持装置、２０は回転式受型支持装置、３０は搬送装置である。
【０００５】
上記に於いて、乾燥工程へ送り込むためにパレット３１上へ移載される未乾燥品は、パレット面との接触面積が小さな裏側ではなく、パレット面との接触面積が大きな表側が下方を向くようにして、パレット３１上へ移載される。即ち、図２（ｂ）の如く果実収容凹部５１の開口部が上を向くようにパレット３１上へ移載されるのではなく、図２（ａ）の如く果実収容凹部５１の開口部が下を向くようにパレット３１上へ移載される。その理由は、図２（ｂ）のようにした場合、未乾燥状態では、パレット３１に支持されていない部位が二点鎖線で示すように垂れ下がって変形し、その変形した形状が固定されて乾燥後に残ってしまうことにある。このため、図２（ａ）のようにすることで、パレット３１によって支持される接触面積をできるだけ大きくし、これにより、製品の変形をできるだけ小さくしているのである。
【０００６】
しかしながら、表側が下向きとなるように、即ち、図２（ａ）の如く果実収容凹部５１の開口部を下に向けて移載すると、積層されたパルプモールドトレイの剥離性を高めるべくパルプモールドトレイ表側の適宜の部位（図２（ａ）に斜線部で例示した部位等）に形成されているストッパＳに力が集中して二点鎖線の如く変形し、その変形した形状が乾燥後にそのまま固定されて残ってしまう等の不具合が生ずる。
【０００７】
ストッパＳとは、積層されたパルプモールドトレイがピッタリ重ならないように、パルプモールドトレイの適宜の位置に立設される板状の部位である。即ち、パルプモールドトレイは、例えば、５０枚程度ずつ積層された状態で出荷されるため、使用時には、最上層のものから１枚ずつ順に機械装置（爪等を備えた機械装置）で取り出して、果実類の収容作業に供する必要がある。このとき、パルプモールドトレイがピッタリ重なり合っていると、最上層の１枚を取り出すべく爪を入れるための隙間が２枚目との間に無く、取り出し作業に支障が生ずる。このため、適宜の部位にストッパを形成して各層間に若干の隙間を設けておき、剥離作業の容易化を図っているのである。
本願は、このストッパに変形が生じないようにすることを目的とする。
【課題を解決するための手段】
【０００８】
本発明は、下記［１］〜［４］のように構成される。この項と次項（「発明の効果」の項）に於いて、符号は理解を容易にするために付したものであり、本発明の構成を符号の構成に限定する趣旨ではない。
［１］手段１（図３参照）：
複数個の果実収容凹部５１を配設して成るパルプモールドトレイ５０であって、
３又は４個の果実収容凹部５１で囲まれる凹部間台部５２の中の任意の１又は２以上の凹部間台部５２の台面５２０から台面上壁体５３を立設するとともに、２個の果実収容凹部５１の境界部５４の中の任意の１又は２以上の境界部５４の上面５４０から境界上壁体５５を立設し、
前記台面上壁体５３と前記境界上壁体５５であってそれらが立設された凹部間台部５２と境界部５４とが連続状態にある台面上壁体５３と境界上壁体５５を連続させて成る、
ことを特徴とするパルプモールドトレイ５０。
台面上壁体５３や境界上壁体５５が、前述のストッパに該当する。
全ての凹部間台部５２の台面５２０から台面上壁体５３を立設し、且つ、全ての境界部５４の上面５４０から境界上壁体５５を立設して、連続させ得る全ての台面上壁体５３と全ての境界上壁体５５を連続させてもよい。
また、全ての凹部間台部５２の台面５２０から台面上壁体５３を立設し、且つ、全ての境界部５４の上面５４０から境界上壁体５５を立設して、連続させ得る中で、任意の台面上壁体５３と任意の境界上壁体５５を連続させてもよい。
また、全ての凹部間台部５２の台面５２０から台面上壁体５３を立設し、且つ、任意の境界部５４の上面５４０から境界上壁体５５を立設して、それらを連続させてもよい。
また、任意の凹部間台部５２の台面５２０から台面上壁体５３を立設し、且つ、任意の境界部５４の上面５４０から境界上壁体５５を立設して、連続させ得る全ての台面上壁体５３と全ての境界上壁体５５を連続させてもよく、連続させ得る中で任意の台面上壁体５３と任意の境界上壁体５５を連続させてもよい。
要は、手段１では、台面上壁体５３や境界上壁体５５を立設するか否かは適宜に選択してよく、それらを連続させるか否かも適宜に選択してよい。
［２］手段２：
複数個の果実収容凹部５１を所定の方向に連続的又は離隔的に配列して複数列となるように配設して成るパルプモールドトレイ５０であって、
３又は４個の果実収容凹部５１で囲まれる凹部間台部５２であって前記複数列の中の任意の１又は２以上の列に沿う凹部間台部５２の台面５２０から台面上壁体５３を立設するとともに、２個の果実収容凹部５１の境界部であって前記台面上壁体５３を立設した凹部間台部５２に連続し且つ当該凹部間台部５２が沿う列に沿う境界部５４の上面５４０から境界上壁体５５を立設し、
前記台面上壁体５３と前記境界上壁体５５であってそれらが立設された凹部間台部５２と境界部５４とが連続状態にある台面上壁体５３と境界上壁体５５を連続させて成る、
ことを特徴とするパルプモールドトレイ５０。
例えば、図４の例では、トレイ５０の長辺方向に於いて連続的に６個，５個，６個、５個，６個の計５列となるように、複数個の果実収容凹部５１が配設されている。
或いは、図４の例では、トレイ５０の短辺方向に於いて離隔的に３個，２個，３個，２個，３個，２個、３個，２個，３個，２個，３個の計１１列となるように、複数個の果実収容凹部５１が配設されている、と言い換えることもできる。
或いは、また、図４の例では、トレイ５０の斜め方向に於いて連続的に１個，３個，５個，５個，５個，５個，３個，１個の計８列となるように、複数個の果実収容凹部５１が配設されている、と言い換えることもできる。なお、両端の列は１個のみであるため、これらを含めないように扱ってもよい。
このように複数個の果実収容凹部５１を長辺方向や短辺方向或いは斜め方向という所定の方向に連続的又は離隔的に配列して複数列となるように配設して成る図４の例では、所定の方向の中の一つの方向である長辺方向に沿う複数列（図示の例では５列）の中の任意の１又は２以上の列（図示の例では５列）に沿う各凹部間台部５２の台面５２０からそれぞれ台面上壁体５３を立設するとともに、２個の果実収容凹部５１の境界部５４であって前記台面上壁体５３を立設した凹部間台部５２に連続し且つ当該凹部間台部５２が沿う列に沿う境界部５４（図示の例では「斜め方向で隣接する２個の果実収容凹部の境界部」が該当する）の上面５４０から境界上壁体５５を立設し、前記台面上壁体５３と前記境界上壁体５５であってそれらが立設された凹部間台部５２と境界部５４とが連続状態にある台面上壁体５３と境界上壁体５５を連続させている。
［３］手段３：
手段１又は手段２に於いて、
前記凹部間台部５２の台面５２０が小面積である、
ことを特徴とするパルプモールドトレイ５０。
３又は４個の果実収容凹部で囲まれる凹部間台部の台面の面積が或る程度大きいと、台面の縁に沿って周回するように台面上壁体を立設できる。即ち、上面視で輪状に閉じた形状となるように台面上壁体を形成できる。そのような形状の台面上壁体は、ある程度の強度を有するため、乾燥工程で前記したような力の集中が発生したとしても、変形を免れ得る。したがって、この手段３での小面積とは、そのような閉じた形状の台面上壁体を形成し得ない程度に小面積であることをいう。
例えば、上面視で方形を成す「４３ｃｍ×３１ｃｍ」程度のサイズのトレイに、２８個の果実収容凹部５１を密集状態にと配設すると（図４参照）、その台面の面積は、ここでいう小面積に該当する。トレイのサイズが上記程度の場合、果実収容凹部が６〜３０個程度が、この手段３でいう小面積の範囲に該当する。
なお、前述の手段１や手段２に於いて、凹部間台部５２の台面５２０が、この手段３で言う小面積より大きい場合を含むことはもちろんである。
［４］手段４：
手段１〜手段３の何れかに於いて、
前記境界部５４の上面５４０を両端の凹部間台部５２，５２の台面５２０，５２０から下がるように形成し、前記境界上壁体５５の高さをそれが立設された上面５４０とともに下がるように形成して成る、
ことを特徴とするパルプモールドトレイ５０。
上面５４０が台面５２０よりも下がる高さを、図５（ｄ）にＨ２として例示する。
［５］手段５（図５参照）：
手段１〜手段４の何れかに於いて、
前記境界上壁体５５の立設高さＨ１を前記台面上壁体５３の立設高さＨ０より低く形成して成る、
ことを特徴とするパルプモールドトレイ５０。
【発明の効果】
【０００９】
手段１は、複数個の果実収容凹部５１を配設して成るパルプモールドトレイ５０であって、３又は４個の果実収容凹部５１で囲まれる凹部間台部５２の中の任意の１又は２以上の凹部間台部５２の台面５２０から台面上壁体５３を立設するとともに、２個の果実収容凹部５１の境界部５４の中の任意の１又は２以上の境界部５４の上面から境界上壁体５５を立設し、前記台面上壁体５３と前記境界上壁体５４であってそれらが立設された凹部間台部５２と境界部５４とが連続状態にある台面上壁体５３と境界上壁体５５を連続させて成るため、台面上壁体５３や境界上壁体５５が十分な強度を有する。このため、乾燥工程でパレット３１側からの力が集中したとしても、それらが変形することを防止でき、変形することに起因する不具合（例：剥離不良等）も防止できる。また、台面上壁体と境界上壁体とが連続する方向に於いて撓みや引っ張りに対する十分な強度を有するため、果実を収容した状態で当該方向の両端の縁部を手で持った場合にも撓みに対して十分に耐えることができる。また、果実を収容した輸送時等の振動等のために当該方向に果実を押しやる力が作用した場合でも十分に耐えることができる。
手段２は、複数個の果実収容凹部５１を所定の方向に連続的又は離隔的に配列して複数列となるように配設して成るパルプモールドトレイ５０であって、３又は４個の果実収容凹部５１で囲まれる凹部間台部５２であって前記複数列の中の任意の１又は２以上の列に沿う凹部間台部５２の台面５２０から台面上壁体５３を立設するとともに、２個の果実収容凹部５１の境界部５４であって前記台面上壁体５３を立設した凹部間台部５２に連続し且つ当該凹部間台部５２が沿う列に沿う境界部５４の上面５４０から境界上壁体５５を立設し、前記台面上壁体５３と前記境界上壁体５５であってそれらが立設された凹部間台部５２と境界部５４とが連続状態にある台面上壁体５３と境界上壁体５５を連続させて成るため、台面上壁体５３や境界上壁体５５が十分な強度を有する。このため、乾燥工程でパレット３１側からの力が集中したとしても、それらが変形することを防止でき、変形することに起因する不具合（例：剥離不良等）も防止できる。また、台面上壁体５３と境界上壁体５５とが連続する方向が略沿っている方向であるところの果実収容凹部５１の連続的又は離隔的な配列方向に略沿う方向に於いて、撓みや引っ張りに対する更に十分な強度を有することができる。このため、果実を収容した状態で当該方向の両端の縁部を手で持った場合にも、撓みに対して更に十分に耐えることができる。また、果実を収容した輸送時等の振動等のために当該方向に果実を押しやる力が作用した場合でも、更に十分に耐えることができる。
手段３のパルプモールドトレイ５０は、手段１又は手段２に於いて、前記凹部間台部５２の台面５２０が小面積であるために、台面上壁体を例えば上面視で輪状に形成する等の変形回避策を採用することができないような場合であっても、乾燥工程に於いて台面上壁体５３や境界上壁体５５が変形することを防止でき、また、そのように変形することに起因する不具合（例：剥離不良等）も防止できる。
手段４のパルプモールドトレイ５０は、手段１〜手段３の何れかに於いて、前記境界部５４の上面５４０を両端の凹部間台部５２，５２の台面５２０，５２０から下がるように形成し、前記境界上壁体５５の高さをそれが立設された上面５４０とともに下がるように形成して成るため、果実収容凹部５１に収容されて輸送される果実に境界上壁部５５の上縁が接触することを防止でき、その損傷を防止できる。
手段５のパルプモールドトレイ５０は、手段１〜手段４の何れかに於いて、前記境界上壁体５５の立設高さＨ１を前記台面上壁体５３の立設高さＨ０よりも低く形成して成るため、手段４の効果をより高めることができる。
【発明を実施するための最良の形態】
【００１０】
図面を参照して、本発明の実施の形態を説明する。
（１）製造工程：
図１はパルプモールドトレイ（抄製紙板製のトレイ）の製造工程の一例を示す。
図示のように、回転式金型支持装置１０のアームが矢印ａ方向へ一定速度で回転されると、各アームの先端に取り付けられている成形型１１は、パルプ溶液槽９０内のパルプ溶液９１に順に浸される。各成形型１１には、それぞれ、金網製の成形型面が取り付けられており、その形状は、製造対象のパルプモールドトレイの表側（果実収容凹部５１の開口部側）の形状に合致する形状とされている。成形型１１がパルプ溶液９１に浸されている状態で、成形型面の裏面側から真空吸引が行なわれる。これにより、金網製の成形型面の全域にパルプ繊維が付着する。付着したパルプ繊維の厚さが１．５ｍｍ程度になるタイミングで、当該の成形型１１はパルプ溶液９１から引き上げられる。なお、この付着厚さは製造対象のトレイに応じて決まるものであり、若干の幅（１〜５ｍｍ程度）がある。
【００１１】
回転式金型支持装置１０と同期する一定速度で回転式受型支持装置２０が矢印ｂ方向へ運転されており、該回転式受型支持装置２０の各アームの先端には、それぞれ受型２１が取り付けられている。
上述の如くパルプ溶液９１から引き上げられた成形型１１は、回転式受型支持装置２０によって所定の対向位置へ順に位置される受型２１に対向される。この対向時、成形型１１の裏面側からは押出用の空気が吐出され、一方、受型２１の裏面側からは真空吸引が行なわれる。このため、成形型１１の成形型面に付着していたパルプ繊維（未乾燥状態のパルプモールドトレイ）は、受型２１へ渡される。
【００１２】
こうして受型２１に渡されたパルプ繊維（未乾燥状態のパルプモールドトレイ）は、該受型２１により支持されつつ搬送装置３０のパレット３１の上方位置へ運ばれて、該パレット３１上へ移載される。この移載は、図２（ａ）のように、表側（果実収容凹部５１の開口部の側）が下方を向くように行なわれる。このとき、台面上壁体５３（図３等）の頂部はパレット３１に当接するが、該台面上壁体５３は境界上壁体５５（図３等）に連続されているため十分な強度を有する。このため、変形も防止される。
パレット３１上へ移載された未乾燥状態のパルプモールドトレイは、搬送装置３０により矢印ｃ方向へ搬送されて乾燥装置４０へ送り込まれ、該乾燥装置４０内にて加熱・乾燥される。
このようにして、パルプモールドトレイが製造される。
【００１３】
（２）パルプモールドトレイ５０：
図３〜図５は、２８個の果実収容凹部５１を配設したトマト用のパルプモールドトレイ５０を示し、図３は斜視図（及び部分拡大図）、図４は上面図、図５（ａ）は図４内のＡ−Ａ線断面図、（ｂ）はＢ−Ｂ線断面図、（ｃ）はＣ−Ｃ線断面図、（ｄ）はＤ−Ｄ線断面図である。なお、図４内のハッチング部分は、断面ではなく、台面上壁体５３及び境界上壁体５５の上面（頂部）を示す。また、図５（ｄ）のＤ−Ｄ線断面は、直線で切った断面ではなく、図４内の台面上壁体５３と境界上壁体５５とを結ぶ曲線（図４内に一点鎖線で示す曲線）に沿って切った断面である。
【００１４】
図示のパルプモールドトレイ５０は、該パルプモールドトレイ５０が輸送時等に収容対象の果実であるトマトとともに収容される箱（例：ダンボール箱）の内形状（上面視での内形状；長方形）に略合致する外形状（上面視での外形状；長方形）・サイズ（例：「４３ｃｍ×３１ｃｍ」程度）であり、内部には、周囲の縁面に対して窪む合計２８個の果実収容凹部５１が、密集状態で、入れ位置に配設されている。
【００１５】
このように多数の果実収容凹部５１が密集状態で配設されているため、３個の果実収容凹部５１で囲まれる部位に形成される凹部間台部５２の台面５２０の面積（台面上壁体５３で隠れる部分を含む面積）は「１．８ｃｍ×１ｃｍ×１／２」程度である。また、２個の果実収容凹部５１の境界部５４の上面５４０の幅（境界上壁体５５が有る場合該境界上壁体５５で隠れる部分を含む幅）は、トレイの長辺方向に並ぶ果実収容凹部間（図４で横方向に隣接する果実収容凹部間）の場合で「１．２ｃｍ」程度、斜め方向に隣接する果実収容凹部間の場合で「０．８ｃｍ」程度である。即ち、何れも、比較的小さい。
【００１６】
凹部間台部５２の台面５２０の面積が上述のように小さいため、台面５２上に、該台面５２の縁に沿ってぐるりと周回する輪状を成し、台面５２０上で完結する台面上壁体（乾燥工程で変形しない十分な強度を有する台面上壁体）を形成することはできない。
【００１７】
境界部５４は、その上面５４０が、境界部５４の両端に位置する凹部間台部５２の台面５２０から下がるように設定されており、境界部５４の上面と凹部間台部５２の台面５２０との高低差Ｈ２（図５（ｄ）参照）は「０．６ｃｍ」程度である。このように境界部５４の高さを低くしている理由は、果実収容凹部５１内に収容されるトマトの損傷を防止することにある。即ち、輸送時等にトマトに振動が加わった場合でも、トマトが境界部５４に強く触れないようにして、その損傷を防止することにある。
【００１８】
図示のパルプモールドトレイ５０では、図４に示すように、各凹部間台部５２の台面５２０から台面上壁体５３が立設されるとともに、各凹部間台部５２に対してトレイの長辺方向に略沿う方向で連続する各境界部５４の上面５４０から境界上壁体５５が立設されており、それらが相互に連続されている。即ち、図４に示す如く、トレイ長辺方向に連続的に配列して複数列となるように配設されている果実収容凹部５１の列に沿う各凹部間台部５２と各境界部５４からそれぞれ台面上壁体５３と境界上壁体５５が立設されて、それらが相互に連続されている。このようにトレイ長辺方向の果実収容凹部５１の列に沿う各台面上壁体５３と境界上壁体５５が連続されているため、各台面上壁体５３は、前述の乾燥工程でパレット３１に当接したとしても変形しない程度の十分な強度を有することはもちろん、台面上壁体５３や境界上壁体５５が連続する方向に略沿う方向であるトレイ長辺方向（手段２の「所定の方向」の一つ）に於いて撓みや引っ張りに対する十分な強度を有するようになるため、果実を収容した状態で当該長辺方向の両端の縁部を手で持った場合にも撓みに対して十分に耐えることができる。また、果実を収容した輸送時等の振動等のために当該長辺方向に果実を押しやる力が作用した場合でも十分に耐えることができる。
図示の例では、トレイ長辺方向に略沿う方向で台面上壁体５３と境界上壁体５５を連続させたために、該長辺方向で撓みや引っ張りに対して十分な強度を有するようになっているが、トレイ短辺方向に連続させた場合には該短辺方向での撓みや引っ張りに対して十分な強度を有するようになり、トレイ斜め方向に連続させた場合には該斜め方向での撓みや引っ張りに対して十分な強度を有するようになることはもちろんである。
なお、図示のように果実収容凹部５１を入れ位置に配設した場合、トレイ短辺方向での果実収容凹部５１の配列は離隔的となるため、トレイ短辺方向の果実収容凹部５１の配列に沿う方向で台面上壁体５３と境界上壁体５５を連続させると、その連続線は、果実収容凹部５１の開口径の略１／２程度の振れ幅を持つジグザグ状若しくは台形パルス状を成すことになる。
【００１９】
上記に於いて、台面上壁体５３の立設高さ（台面５２０から台面上壁体５３の頂部までの高さ）Ｈ０（図５（ｄ）参照）は略「６ｍｍ」である。また、境界上壁体５５の立設高さ（境界部５４の上面５４０から境界上壁体５５の頂部までの高さ）Ｈ１（図５（ｄ）参照）は略「４ｍｍ」である。このように、境界上壁体５５の立設高さを台面上壁体５３の立設高さよりも低く設定しているため、果実収容凹部５１に収容されるトマトの前述の損傷防止効果を更に高めることができる。
【００２０】
本例のパルプモールドトレイ５０は上述の如く構成されているため、乾燥工程で台面上壁体５３の頂部が搬送装置３０のパレット３１に当接しても、その変形を防止することができ、良好な形状の台面上壁体５３・境界上壁体５５を備えたパルプモールドトレイ５０を製造することができる。したがって、多数枚のパルプモールドトレイ５０を積層して出荷する現状に於いても、パルプモールドトレイ５０の層間に若干の隙間を確実に確保することができ、ユーザの機械装置による剥離作業に支障が生ずることはない。
また、境界部５４の肩部や境界上壁体５５の頂部が十分に低いため、輸送時等に於いて収容物であるトマトが境界部５４の肩部や境界上壁体５５の頂部に強く触れることを防止でき、その損傷を防止できる。
また、果実収容凹部５１の配列方向の一つであるトレイ長辺方向に略沿う方向に沿って台面上壁体５３と境界上壁体５５とが連続されているため、該方向に於いて撓みや引っ張りに対する十分な強度を有する。このため、果実を収容した状態で当該長辺方向の両端の縁部を手で持った場合にも撓みに対して更に十分に耐えることができる。また、果実を収容した輸送時等の振動等のために当該長辺方向に果実を押しやる力が作用した場合でも十分に耐えることができる。このため、収容果実を損傷することが無い。
【００２１】
図３〜図５の例では、トレイ長辺方向に連続する凹部間台部５２の台面５２０と境界部５４の上面５４０から立設した台面上壁体５３と境界上壁体５５を連続させており、このため、トレイ長辺方向に於いて、撓みや引っ張りに対する十分な強度を有するようになっているが、本発明はこのような方向で連続させる方式に限定されない。
例えば、図６（ａ）のように、任意の凹部間台部５２の台面５２０と境界部５４の上面５４０から台面上壁体５３と境界上壁体５５を立設して連続させてもよく、（ｂ）のようにパルプモールドトレイの短辺方向に並ぶ凹部間台部５２の台面５２０と境界部５４の上面５４０から台面上壁体５３と境界上壁体５５を立設して連続させてもよい。そのようにして連続させた場合には、当該連続させた方向に於いて、撓みや引っ張りに対する特に十分な強度を有することになる。
【００２２】
また、果実収容凹部５１を入れ位置に配設する図３等の例では、パルプモールドトレイの長辺方向に並ぶ各凹部間台部５２の台面５２０と各境界部５４の上面５４０からそれぞれ台面上壁体５３と境界上壁体５５を立設して連続させる場合（図３等の場合）でも、或いは、短辺方向に並ぶ各凹部間台部５２の台面５２０と各境界部５４の上面５４０からそれぞれ台面上壁体５３と境界上壁体５５を立設して連続させる場合（不図示）でも、それらは蛇行状態や、ジグザグ状若しくは台形パルス状で連続することになるが、図６（ｃ）や（ｄ）のように、果実収容凹部５１を格子状に配設する場合には、それらは直線状に連続することになる。なお、図６（ｃ）はトレイの長辺方向に沿う方向のみにて台面上壁体５３と境界上壁体５５を連続させた場合を示し、図６（ｄ）は長辺方向に沿う方向及び短辺方向に沿う方向にて連続させた場合を示す。
【図面の簡単な説明】
【００２３】
【図１】パルプモールドトレイの製造工程の一例を示す模式図。
【図２】未乾燥のパルプモールドトレイ５０をパレット３１上に載置する様子を示す説明図。（ａ）は表側を下方に向けて載置した例を示し、（ｂ）は裏側を下方に向けて載置した例を示す。
【図３】パルプモールドトレイの斜視図（ａ）と、（ａ）の要部拡大図（ｂ）。
【図４】パルプモールドトレイの上面図。
【図５】（ａ）は図４内のＡ−Ａ線断面図、（ｂ）はＢ−Ｂ線断面図、（ｃ）はＣ−Ｃ線断面図、（ｄ）はＤ−Ｄ線断面図。
【図６】図３〜５とは異なる部位に台面上壁体と境界上壁体を形成する場合の形成部位を例示する説明図。
【符号の説明】
【００２４】
１０  回転式金型支持装置
１１  成形型
２０  回転式受型支持装置
２１  受型
３０  搬送装置
３１  パレット
４０  乾燥装置
５０  パルプモールドトレイ
５１  果実収容凹部
５２  凹部間台部
５２０  凹部間台部の台面
５３  台面上壁体
５４  境界部
５４０  境界部の上面
５５  境界上壁体
９０  パルプ溶液槽
９１  パルプ溶液
【図１】
2008285188.tif 000003
【図２】
2008285188.tif 000004
【図３】
2008285188.tif 000005
【図４】
2008285188.tif 000006
【図５】
2008285188.tif 000007
【図６】
2008285188.tif 000008